(57)【要約】【課題】能動消音装置をフードユニットの吸込口の近傍に設けてもファンユニットの排気ファンを容易に取り外すことができることを目的とする。【解決手段】ファンユニット１３の吸込口２とフードユニット３の排気口８とを接続部材９で接続し、ファンユニット１３から排気ファン１４を取り外し、能動消音装置５をフードユニット３の吸込口２の近傍に設けても排気ファン１４を容易に取り外すことができるレンジフードが得られる。【選択図】図１
2017180845.tif 000002
【特許請求の範囲】
【請求項１】
屋内に、吸込口と排気口とを有するフードユニットと、前記フードユニット内に設けた能動消音装置と、を設け、屋外に排気ファンを内蔵し吸込口と排気口とを有するファンユニットを設け、前記ファンユニットの吸込口と前記フードユニットの排気口とを接続部材で接続することを特徴としたレンジフード。
【請求項２】
前記フードユニットの前記排気口を側面に設け、前記ファンユニットを前記屋外の壁面に設けることを特徴とする請求項１に記載のレンジフード。
【請求項３】
前記フードニットと前記ファンユニットとの間の前記フードユニット側に整流ユニットを設けることを特徴とする請求項１に記載のレンジフード。
【請求項４】
前記接続部材の前記ファンユニット側に、油分等を捕集し回収する油捕集回収部を設けることを特徴とする請求項１に記載のレンジフード。
【発明の詳細な説明】
【技術分野】
【０００１】
本発明は、レンジフードに関するものである。
【背景技術】
【０００２】
従来、この種のレンジフードは、排気ファンと能動消音装置を設けた風路を、フードユニットに内蔵されたものが知られている（例えば、特許文献１参照）。
【０００３】
以下、そのレンジフードについて、図２を参照しながら説明する。
【０００４】
図２に示すように、レンジフード１０１は、風路１０５と排気ファン１０６とを内蔵するフードユニット１０３とから構成され、排気ファン１０６により、吸込口１０２から調理時に発生する油煙を含んだ空気を吸い込み、風路１０５を通過して、吐出口１０７から排気する。
【０００５】
また、風路１０５は吸込口１０２の近傍に能動消音装置１０４を内蔵し、レンジフード１０１の運転時に排気ファン１０６から発生する騒音を低下させている。
【先行技術文献】
【特許文献】
【０００６】
【特許文献１】特開２０１４−４３９９０号公報
【発明の概要】
【発明が解決しようとする課題】
【０００７】
このような従来のレンジフードにおいては、能動消音装置１０４をフードユニット１０３の吸込口１０２の近傍に設けているので、油汚れ掃除などのお手入れを行うときにファンユニット１０３に設けている排気ファンを取り外すのが手間と時間がかかる、という課題を有していた。
【０００８】
そこで本発明は、上記従来の課題を解決するものであり、能動消音装置をフードユニットの吸込口の近傍に設けてもファンユニットの排気ファンを容易に取り外すことができるレンジフードを提供することを目的とする。
【課題を解決するための手段】
【０００９】
そして、この目的を達成するために、本発明は、屋内に吸込口と排気口とを有するフードユニットと、前記フードユニット内に設けた能動消音装置と、を設け、屋外に排気ファンを内蔵しファンユニット吸込口とファンユニット排気口とを有するファンユニットを設け、前記ファンユニット吸込口と前記フードユニットの排気口とを接続部材で接続することとしたものであり、これにより所期の目的を達成するものである。
【発明の効果】
【００１０】
本発明によれば、屋内に吸込口と排気口とを有するフードユニットと、前記フードユニット内に設けた能動消音装置と、を設け、屋外に排気ファンを内蔵し吸込口と排気口とを有するファンユニットを設け、前記ファンユニットの吸込口と前記フードユニットの排気口とを接続部材で接続する、という構成にしたことにより、屋内の油煙を含んだ空気は、フードユニットの吸込口から吸い込まれ、能動消音装置を通過して排気口から吐き出され、接続部材を通過して屋外のファンユニットの吸込口に吸い込まれ、内蔵されている排気ファンを介して排気口から吐き出され、油汚れ掃除などのお手入れ作業を行うときは、屋外のファンユニットから排気ファンを取り外すこととなるので、能動消音装置をフードユニット内に設けても排気ファンを容易に取り外すことができる、という効果を得ることができる。
【図面の簡単な説明】
【００１１】
【図１】本発明の実施の形態１のレンジフードを示す側断面図
【図２】従来のレンジフードを示す側断面図
【発明を実施するための形態】
【００１２】
本発明の請求項１記載のレンジフードは、屋内に吸込口と排気口とを有するフードユニットと、前記フードユニット内に設けた能動消音装置と、を設け、屋外に排気ファンを内蔵し吸込口と排気口とを有するファンユニットを設け、前記ファンユニットの吸込口と前記フードユニットの排気口とを接続部材で接続する、という構成を有する。これにより、調理時に発生する油煙を含んだ空気は、屋内のフードユニットの吸込口から吸い込まれ、能動消音装置を通過して排気口から吐き出され、接続部材を通過して屋外のファンユニットの吸込口に吸い込まれ、内蔵されている排気ファンを介して排気口から吐き出され、油汚れ掃除などのお手入れ作業を行うときは、屋外のファンユニットから排気ファンを取り外すこととなるので、能動消音装置をフードユニット内に設けても排気ファンを容易に取り外すことができる、という効果を奏する。
【００１３】
また、前記フードユニットの前記排気口を側面に設け、前記ファンユニットを前記屋外の壁面に設ける、という構成にしてもよい。これにより、油煙を含んだ空気は、フードユニットの側面の排気口から吐き出され、最短の長さの接続部材を介して屋外のファンユニットの吸込口に吸い込まれることとなるので、接続部材の圧力損失を低減し、排気の風量の低下を抑制することができる、という効果を奏する。
【００１４】
また、前記フードニットと前記ファンユニットとの間の前記フードユニット側に整流ユニットを設ける、という構成にしてもよい。これにより、フードユニットを介して能動消音装置に吸い込まれた屋内の空気は、整流ユニットにより整流されることとなるので、消音効果を向上させるとともに圧力損失を低減することができる、という効果を奏する。
【００１５】
また、前記接続部材の前記ファンユニット側に、油分等を捕集し回収する油捕集回収部を設ける、という構成にしてもよい。これにより、油煙の油や水分は、接続部材を通過する際に油捕集回収部で捕集され回収されることとなるので、排気ファンの汚れの付着を低減することができる、という効果を奏する。
【００１６】
以下、本発明の実施の形態について図面を参照しながら説明する。
【００１７】
（実施の形態１）
図１示すように、本実施の形態１のレンジフード１は、屋内１６の上方に、逆お椀状のフードユニット３を設け、その下方に方形状の整流板１７を設ける。整流板１７の外周とフードユニット３の内周との間に、吸込口２を設ける。フードユニット３の上方には、複数の風路４を有した能動消音装置５を設ける。能動消音装置５の上方には、内通した整流ユニット６を設ける。整流ユニット６は、外壁１９に距離が近い側面に例えば円形の排気口８を設ける。
【００１８】
また、屋外１８の外壁１９には、ファンユニット１３を取り付ける。そのファンユニット１３は、内部には例えばシロッコファンである排気ファン１４を設け、上部にはファンユニット吸込口１２を設け、下部にはファンユニット排気口１５を設ける。
【００１９】
そして、排気口８とファンユニット吸込口１２とは、ダクト等の接続部材９により接続される。ファンユニット１３は、接続部材９の長さが最短となるように屋外１８の外壁１９の高さに固定する。整流ユニット６の内部には、風路４から吐出した気流を外壁１９に対して直角方向に方向転換し排気口８に導く風路４の数と同じ整流壁７を備える。
【００２０】
ファンユニット１３は、ファンユニット吸込口１２の上方に金属製のフィルタ等の捕集機構を内蔵する油捕集回収部１０を設ける。油捕集回収部１０の下部には、捕集された油等を含む水分を回収する回収容器１１を備える。
【００２１】
このような構成によれば、屋内１６の油煙を含んだ空気は吸込口２から吸い込まれ風路４を通過して排気口８から吐き出される。さらに、接続部材９を通過して屋外１８のファンユニット吸込口１２に吸い込まれ、内蔵されている排気ファン１４を介してファンユニット排気口１５から吐き出される。
【００２２】
そして、排気ファン１４等の油汚れ掃除などのお手入れ作業を行うときは、屋外１８のファンユニット１３から排気ファン１４を取り外す作業となり、能動消音装置５をフードユニット３の吸込口２の近傍に設けても、ファンユニット１３の排気ファン１４を容易に取り外すことができることとなる。
【００２３】
そして、整流ユニット６の側面に設けた排気口８と屋外１８の壁面である外壁１９に固定したファンユニット１３を、最短の長さとなるように接続部材９で接続することにより、調理時に発生する油煙を含んだ空気は、フードユニット３の吸込口２から吸い込まれ能動消音装置５内の複数の風路４を通過して排気口８から吐き出され、排気口８とファンユニット吸込口１２との距離が最短の長さの接続部材の内部を通過して、屋外１８のファンユニット吸込口１２に吸い込まれる。よって、接続部材９の屈曲による圧力損失を低減し、排気の風量の低下を抑制することができる。なお、接続部材９は、屈曲させずに屋内１６側から屋外１８側に下り勾配を設けたストレートの部材で、圧力損失が小さい円形配管を用いることが望ましく、より接続部材９の屈曲による圧力損失を低減し排気の風量の低下を抑制することができる。
【００２４】
また、このような構成にすることで、能動消音装置５を設けて、高くなった屋内１６側のレンジフード１の高さ寸法は、屋外１８に別置きするファンユニット１３の高さ分だけ下げることができ、能動消音装置５の有無によらず、屋内１６側のレンジフード１の高さを一定とすることができ、台所などの屋内１６に設けた間口の高さ寸法に応じたレンジフード１の設置の自由度を得ることができる。
【００２５】
また、従来は台所の通路などの作業エリアが狭く、さらに床面から高い位置に排気ファンが取り付いており、脚立などで足場を確保して排気ファン１４を取り外していたが、ファンユニット１３を屋外１８に設置することにより、住居環境に応じてファンユニット１３を作業性のより良い場所に設置することもでき、排気ファン１４の取り外しの作業性向上を図ることができる。
【００２６】
また、排気ファン１４を屋外１８に設置することで、排気ファン１４をモータ（図示せず）で駆動した際に生じる騒音が屋内に外壁１９に遮られ届きにくくなり、屋内１６の消音効果を向上させることができる。
【００２７】
そして、フードユニット３とファンユニット１３との間に整流壁７を有する整流ユニット６を設けることにより、フードユニット３を介して能動消音装置５に吸い込まれた屋内１６の空気は、空気流れの乱れによる異音や圧力損失の発生を抑えながら、フードユニット３の吸込口２から垂直方向に吸込まれ、外壁１９である水平方向に方向転換して、整流ユニット６の排気口８より吐出されるので、消音効果を向上させるとともに圧力損失を低減することができる。
【００２８】
整流壁７は、緩やかな曲面を有する金属板を用いることが望ましい。なお、整流壁７の替わりに、能動消音装置５に備えられた風路４の出口側と排気口８を円形配管もしくは角形配管で接続しても同様の効果を得ることができる。
【００２９】
そして、ファンユニット吸込口１２の近傍に、油分等を捕集し回収する油捕集回収部１０を設けることにより、フードユニット３の吸込口２から吸込まれた油煙等の空気に含まれる油分や水分は接続部材９を通過し、ファンユニット吸込口１２に吸い込まれる際に油捕集回収部１０で捕集され回収することができ、排気ファン１４の油等の汚れの付着を低減することができる。なお、油捕集回収部１０は、接続部材９の中間部、もしくはファンユニット１３の内部に設けても良い。
【産業上の利用可能性】
【００３０】
本発明にかかるレンジフードは、能動消音装置をフードユニットの吸込口の近傍に設けてもファンユニットの排気ファンを容易に取り外すことができることを可能とするものであるので、油煙が多く生じる作業室に使用される排気装置等として有用である
【符号の説明】
【００３１】
１    レンジフード
２    吸込口
３    フードユニット
４    風路
５    能動消音装置
６    整流ユニット
７    整流壁
８    排気口
９    接続部材
１０    油捕集回収部
１１    回収容器
１２    ファンユニット吸込口
１３    ファンユニット
１４    排気ファン
１５    ファンユニット排気口
１６    屋内
１７    整流板
１８    屋外
１９    外壁
【図１】
2017180845.tif 000003
【図２】
2017180845.tif 000004